(57)【要約】【課題】  宝石または身飾品を、所望の宝石ケース内へ適数個収納し、この収納された宝石または身飾品を適宜光源による照明部材によって、これを輝らして、宝石または身飾品を一段と美麗に光輝させ、商品価値の更なる向上を図ると同時に、プレゼントを行なった時の相手の驚き等の意外性や演出効果に優れ、且つディスプレーとして供する際にも、優れた演出効果が発揮し得る。【解決手段】  宝石ケースに収納された所望の宝石または身飾品を、宝石ケースの任意個所に付設された適宜光源による照明部材によって、収納された宝石または身飾品を輝らす。【選択図】  図１
2005245912.tif 000002
【特許請求の範囲】
【請求項１】
宝石ケースに収納された所望の宝石または身飾品を、宝石ケースの任意個所に付設された適宜光源による照明部材によって、収納された宝石または身飾品を輝らすことを特徴とした宝石ケース。
【請求項２】
宝石ケースの台座部分に所望の電源を配し、この電源と、収納した宝石または身飾品を輝らし得る位置に配した、適宜光源による照明部材とを電気的に接続して、宝石ケースの任意個所にはスイッチを設けた請求項１記載の宝石ケース。
【請求項３】
宝石ケースの台座部分に所望の電源を配し、この電源と、宝石ケースの蓋体裏側に付設した照明部材とを電気的に接続し、蓋体の開放により、該照明部材が通電される請求項１記載の宝石ケース。
【発明の詳細な説明】
【技術分野】
【０００１】
この発明は、所望の宝石ケース内に収納されるダイヤモンド、エメラルド等の宝石や、イヤリング、指輪等の身飾品を、美しく浮かび上がらせて、その光輝性を更に一段と向上させると共に、商品の意外性や商品の付加価値を高め得る宝石ケースに関する。
【背景技術】
【０００２】
従来より一個入り若しくは一組入りの宝石ケースや、ダイヤモンド、エメラルド等の宝石類や指輪等の身飾品が多数個収納される長形或いは方形状の宝石ケースは周知され、夫々プレゼント用或いは宝石、身飾品の展示用として、斯かる宝石ケースが使用されているが、単に当該宝石ケースの台部分のスリット溝に沿って、ダイヤモンド、エメラルド等の宝石類や指輪等の身飾品の類が挿通保持されているに過ぎず、宝石類や身飾品自体の揺動を阻止し、定位置に挿脱自在にスリット溝へ案内されているに過ぎないもので、収納した宝石類や身飾品そのものを、美しく且つ光輝に満ちたものへ変身させるディスプレー要素も無く、所謂単なる宝石収納箱に過ぎないものである。実開平６−１３５４０号公報には、宝石ケースの内部に音響ユニットを配し、蓋を開くとメロディ等が流れる技術が開示され、また実用新案登録第３０９２７７３号公報には宝石を収納する直方体状をしたケースであって、上端面部中央に宝石を拡大視するレンズを設けたレンズ付き宝石ケースが開示されるが、照明部材を組込んだ宝石ケースはない。
【特許文献１】実用新案登録第３０９２７７３号公報
【発明の開示】
【発明が解決しようとする課題】
【０００３】
然るにこの発明が茲に開発した宝石ケースにあっては、既述従来の欠陥に鑑みて鋭意研究の結果に開発されたものであって、ダイヤモンド、エメラルド、サファイア、ルビー、翡翠等、その他の宝石、またはこれ等の宝石が連結固定されたイヤリング、ネックレス、ブレスレット、ペンダント、ブローチ、指輪、ロケット等の身飾品を、所望の宝石ケース内へ適数個収納し、この収納された宝石または身飾品を適宜光源による照明部材によって、これを輝らして、宝石または身飾品を一段と美麗に光輝させ、商品価値の更なる向上を図ると同時に、プレゼントを行なった時の相手の驚き等の意外性や、演出効果に優れ、且つディスプレーとして供する際にも、優れた演出効果が発揮し得る宝石ケースを提供することを目的とする。
【課題を解決するための手段】
【０００４】
上記した目的を達成するがために、本発明になる宝石ケースにあっては、宝石ケース１に収納された所望の宝石または身飾品２を、宝石ケース１の任意個所に付設された適宜光源による照明部材３によって、収納された宝石または身飾品２を輝らす宝石ケースを特徴としており、また宝石ケース１の台座部分４に所望の電源５を配し、この電源５と、収納した宝石または身飾品２を輝らし得る位置に配した、適宜光源による照明部材３とを電気的に接続して、宝石ケース１の任意個所にはスイッチ６を設けた宝石ケースを特徴としており、また宝石ケース１の台座部分４に所望の電源５を配し、この電源５と、宝石ケース１の蓋体７裏側に付設した照明部材３とを電気的に接続し、蓋体７の開放により、該照明部材３が通電される宝石ケースを特徴とするものである。
【発明の効果】
【０００５】
本発明によれば、宝石または身飾品を、所望の宝石ケース内へ適数個収納し、この収納された宝石または身飾品を適宜光源による照明部材によって、これを輝らして、宝石または身飾品を一段と美麗に光輝させ、商品価値の更なる向上を図ると同時に、プレゼントを行なった時の相手の驚き等の意外性や演出効果に優れ、且つディスプレーとして供する際にも、優れた演出効果が発揮し得る。
【実施例】
【０００６】
次いでこの発明による宝石ケースに関する実施の一例について詳述する。
【０００７】
複数個の宝石または身飾品２、例えば指輪が長形の宝石ケース１のスリット溝８に一部挿入保持されたものが、図１に示され、台座部分４内には電池等の電源が収納され、宝石ケース１の蓋体７の裏側には適数個の適宜光源による照明部材３が付設され、該蓋体７を開放して、スイッチ６を通電状態によると、前記照明部材３が収納された宝石または身飾品２を上方より輝らし、見事に美麗に輝ける宝石または身飾品２が出現し、優れたディスプレー効果が発揮出来る。
【０００８】
一個の宝石または身飾品２、例えば指輪が方形状の宝石ケース１のスリット溝８に一部挿入保持されたものが、図２に示され、台座部分４内には電池等の電源５が収納され、宝石ケース１の蓋体７の裏側には適宜光源による照明部材３が付設され、蓋体７の開閉によってスイッチ６が自動的にＯＮ、ＯＦＦ状態となり、蓋体７を開放して通電状態にすると、前記照明部材３が収納された宝石または身飾品２を上方より輝らし、見事に美麗に輝ける宝石または身飾品が出現し、プレゼントされた相手方が蓋体７を開放することで美しさと驚き等の意外性が伴った演出効果を発揮できる。
【０００９】
一個の宝石または身飾品２、例えば指輪が白鳥や貝殻等の任意形状の宝石ケース１のスリット溝８に一部挿入保持されているものが、図３乃至図５に示されており、いずれも挿入保持された宝石または身飾品２を適宜光源による照明部材３を所望部位に付設することによって、有効に宝石または身飾品２を輝らすことが出来るもので、優れたディスプレー効果が演出し得るものとなる。
【図面の簡単な説明】
【００１０】
【図１】宝石ケースの蓋体を開放した斜視図である。
【図２】宝石ケースの蓋体を開放して一部切欠した斜視図である。
【図３】他の宝石ケースの一部切欠斜視図である。
【図４】他の宝石ケースの斜視図である。
【図５】他の宝石ケースの斜視図である。
【符号の説明】
【００１１】
１    宝石ケース
２    宝石または身飾品
３    照明部材
４    台座部分
５    電源
６    スイッチ
７    蓋体
８    スリット溝
【図１】
2005245912.tif 000003
【図２】
2005245912.tif 000004
【図３】
2005245912.tif 000005
【図４】
2005245912.tif 000006
【図５】
2005245912.tif 000007